(57)【要約】【課題】  多角形型の低風圧絶縁電線において、風圧荷重の低減効果に優れた低風圧絶縁電線を提供する。【解決手段】  導体１の外周に耐候性絶縁材料からなる絶縁体２が被覆された低風圧絶縁電線１０であって、絶縁体２はその外周断面形状が多角形で、エンボス表示３が施された当該多角形の辺（凹み辺５）を含めた多角形の各辺が、辺の角の頂点と辺の角の頂点とを結ぶ直線よりも平均凹み量で１０〜８０μｍ凹んでいる凹み辺からなり、更に多角形の各辺の角４が低風圧絶縁電線１０の長手方向に２０ｍピッチ以下でスパイラル状に成形している。【選択図】  図１
2007220492.tif 000002
【特許請求の範囲】
【請求項１】
導体の外周に耐候性絶縁材料からなる絶縁体が被覆された低風圧絶縁電線であって、前記絶縁体はその外周断面形状が多角形であり、当該多角形の各辺は辺の角の頂点と辺の角の頂点とを結ぶ直線よりも平均凹み量で１０〜８０μｍ凹んでいる凹み辺からなることを特徴とする低風圧絶縁電線。
【請求項２】
前記多角形の各辺の角は、前記低風圧絶縁電線の長手方向に２０ｍピッチ以下でスパイラル状に成形されていることを特徴とする請求項１に記載の低風圧絶縁電線。
【請求項３】
前記凹み辺は、その外周表面にエンボス表示が施されていることを特徴とする請求項１又は請求項２に記載の低風圧絶縁電線。
【発明の詳細な説明】
【技術分野】
【０００１】
本発明は、架空配電線路に布設される低風圧絶縁電線に関し、特に、低圧配電線、高圧配電線および特別高圧配電線として使用されても、使用時の風圧荷重を低減できる低風圧絶縁電線に関するものである。
【背景技術】
【０００２】
絶縁電線を架空配電線路に布設する場合、絶縁電線を支持するための支持物（例えば、電柱）の強度は、絶縁電線が受風することによって生じる風圧荷重を考慮して設計される。
【０００３】
近年、支持物には多数の電線・ケーブルなどが設置されるケースもあり、風圧荷重が増大することから、添架される電線・ケーブルなどの風圧荷重を低減したいというニーズがある。
【０００４】
この支持物への風圧荷重の低減効果を得る一つの方法として、被覆絶縁体の外周表面の断面形状を所定の多角形に形成する方法が知られており、その方法により得られた低風圧絶縁電線がある（例えば、特許文献１及び特許文献２参照）。
【特許文献１】特開２００５−５６６５２号公報
【特許文献２】特開２００５−２３０８４２号公報
【発明の開示】
【発明が解決しようとする課題】
【０００５】
しかしながら、特許文献１等に記載の多角形型の低風圧絶縁電線において、多角形の各辺がフラット（直線）或いは外側に弓なりになっている場合、最も好ましい低風圧特性である抗力係数０．８５以下の風圧荷重の低減効果が得られないという問題があった。
【０００６】
更に、この低風圧絶縁電線には、品名、製造者名、製造年等を、耐久性を考慮したエンボス表示で長手方向に絶縁体外周表面に施すのが一般的であるが、そのエンボス表示部分の絶縁体は多角形形状の維持が困難なため、円周方向における風圧荷重特性を評価した場合、この部分の抗力係数が他の円周方向の特性に比べ極端に大きくなり、風圧荷重の低減効果が不安定になるという問題があった。
【０００７】
従って、本発明の目的は、多角形型の低風圧絶縁電線において、風圧荷重の低減効果に優れた低風圧絶縁電線を提供すること、並びにエンボス表示を施した多角形型の低風圧絶縁電線において、エンボス表示に起因する抗力係数の増大を抑制する低風圧絶縁電線を提供することにある。
【課題を解決するための手段】
【０００８】
本発明は、上記目的を達成するため、導体の外周に耐候性絶縁材料からなる絶縁体が被覆された低風圧絶縁電線であって、前記絶縁体はその外周断面形状が多角形であり、当該多角形の各辺は辺の角の頂点と辺の角の頂点とを結ぶ直線よりも平均凹み量で１０〜８０μｍ凹んでいる凹み辺からなることを特徴とする低風圧絶縁電線を提供する。
【０００９】
本発明は、以下の特徴を１つ以上有する発明を含む。
（１）前記多角形の各辺の角は、前記低風圧絶縁電線の長手方向に２０ｍピッチ以下でスパイラル状に成形されている。
（２）前記凹み辺は、その外周表面にエンボス表示が施されている。
【発明の効果】
【００１０】
本発明によれば、多角形型の低風圧絶縁電線において、風圧荷重の低減効果に優れた低風圧絶縁電線を提供できる。並びに、エンボス表示を施した多角形型の低風圧絶縁電線において、エンボス表示に起因する抗力係数の増大を抑制する低風圧絶縁電線を提供できる。
【発明を実施するための最良の形態】
【００１１】
〔本発明の実施の形態〕
【００１２】
図１は、本発明の実施の形態に係る低風圧絶縁電線の概略を示す側面図である。また、図２は、本発明の実施の形態に係る低風圧絶縁電線の概略を示す断面図である。さらに、図３は、図２におけるＡ領域の拡大図である。
【００１３】
本発明の実施の形態に係る低風圧絶縁電線１０は、導体１の外周に耐候性絶縁材料からなる絶縁体２が押出被覆されて形成される。絶縁体２の外周表面には、品名、製造者名、製造年等のエンボス表示３が施されている。
【００１４】
導体１は、硬銅線、硬銅撚り線、硬アルミ撚り線、鋼心アルミ撚り線（ＡＣＳＲ）等からなる。また、絶縁体２を構成する耐候性絶縁材料としては、例えば、ポリ塩化ビニル（ＰＶＣ）混和物、耐候性ポリエチレン（ＰＥ）、耐候性架橋ポリエチレン（ＸＬＰＥ）、エチレンプロピレンゴム（ＥＰ）が挙げられる。
【００１５】
絶縁体２は、その外周断面形状が多角形であり、当該多角形の各辺は辺の角の頂点と辺の角の頂点とを結ぶ直線（点線で示した多角形の辺（直線）６）よりも凹んでいる（凹み量７）凹み辺５からなる。
【００１６】
図２においては絶縁体２の外周断面形状が１９角形の場合を示したが、多角形の角数としては１２〜２５程度が好適であり、正多角形であることが望ましい。
【００１７】
凹み量７は、各辺の平均凹み量が１０〜８０μｍであることが望ましい。より望ましくは２０〜７０μｍである。ここで、平均凹み量とは、「各辺における凹み量の最大値（大抵の場合、辺の略中央部における凹み量）の合計／辺の数」により求めた値である。
【００１８】
また、多角形の角４（或いは凹み辺５）は、低風圧絶縁電線１０の長手方向に２０ｍピッチ以下でスパイラルに成形していることが望ましい。ピッチの下限は特に限定されるものではないが、製造上の観点から６ｍ以上であることが望ましい。エンボス表示が施されることで形状が不安定となり、抗力係数が上がる風圧当たり面のある凹み辺５を長手方向にスパイラル状にすることにより、その抗力係数を平均化することができる。
【００１９】
なお、絶縁体２の外周表面（凹み辺５）に付されるエンボス表示３は、多角形の角４と同じピッチでスパイラルに成形されていることが望ましい。
【００２０】
もちろん、エンボス表示３が施されていなくてもよく、また、絶縁体の外周表面に品名、製造者名、製造年等を表示する他の方法として、絶縁体２の外周表面に直接印刷する表示方法等でも良い。
【００２１】
〔本発明の実施の形態の効果〕
上記の本発明の実施の形態によれば、下記の効果を奏する。
（１）絶縁体の凹み辺５の平均凹み量を１０〜８０μｍとすることにより、平均抗力係数０．８５以下の風圧荷重の低減効果が得られる。さらに、絶縁体の凹み辺５の平均凹み量を２０〜７０μｍとすることにより、平均抗力係数０．８０以下の風圧荷重の低減効果が得られる。
【００２２】
（２）多角形の角４（或いは凹み辺５）を低風圧絶縁電線１０の長手方向に２０ｍピッチ以下でスパイラル状に成形させることにより、最大抗力係数をスパイラルさせない場合に比べ５％程度以上低減できる。
【００２３】
（３）絶縁体２の外周表面（凹み辺５）にエンボス表示３が付された多角形型低風圧絶縁電線においても、平均抗力係数０．８５以下の風圧荷重の低減効果が得られる。
【実施例】
【００２４】
＜実施例１＞
図４は、絶縁体の凹み辺５の平均凹み量と平均抗力係数との関係を示した図である。
鋼心アルミ撚り線（ＡＣＳＲ）１２０ｍｍ２の導体に２．５ｍｍ厚さの架橋ポリエチレンの絶縁体を被覆した１９角形型低風圧絶縁電線を使用して、各辺の平均凹み量（マイナス表記は外側に弓なりになっていることを示す。）と平均抗力係数（平均風圧荷重）の関係を確認した。ここで平均抗力係数は、電線を円周方向に回転させて測定した各抗力係数の平均値である。なお、◆印は、絶縁体の凹み辺５の一つの辺の表面に品名、製造者名、製造年等のエンボス表示を施した電線のデータであり、×印はエンボス表示を施していない電線のデータである。
【００２５】
図４より、絶縁体の凹み辺５の平均凹み量が１０〜８０μｍであれば、エンボス表示の有無にかかわらず、平均抗力係数０．８５以下の風圧荷重の低減効果が得られることが分かる。
【００２６】
＜実施例２＞
図５は、絶縁体のスパイラルピッチと最大抗力係数の低減効果との関係を示した図である。
ＡＣＳＲ  １２０ｍｍ２の導体に２．５ｍｍ厚さの架橋ポリエチレンの絶縁体を１９角形状でストレートに押出した（スパイラル無し）低風圧電線の最大抗力係数（電線を円周方向に回転させて測定した各抗力係数の最大値）を１とし、各辺を一定ピッチ（５,１０，１５，２０，３０，６０，９０ｍ）でスパイラル状に成形させた場合の最大抗力係数の低減効果を確認した（各ピッチにつき、試験数Ｎ＝２で実施）。なお、絶縁体の凹み辺５の一つの辺には、その表面に品名、製造者名、製造年等のエンボス表示が施されている。
【００２７】
図５より、スパイラルピッチが短くなるにつれて、最大抗力係数の平均化効果（低減効果）が大きくなることが分かる。特に、ストレートに押出した場合と比べて最大抗力係数が約５％以上低減する２０ｍピッチ以下が望ましいことが分かる。
【図面の簡単な説明】
【００２８】
【図１】本発明の実施の形態に係る低風圧絶縁電線の概略を示す側面図である。
【図２】本発明の実施の形態に係る低風圧絶縁電線の概略を示す断面図である。
【図３】図２におけるＡ領域の拡大図である。
【図４】絶縁体の凹み辺の平均凹み量と平均抗力係数との関係を示した図である。
【図５】絶縁体のスパイラルピッチと最大抗力係数の低減効果との関係を示した図である。
【符号の説明】
【００２９】
１：導体
２：絶縁体
３：エンボス表示
４：角
５：凹み辺
６：多角形の辺（直線）
７：凹み量
１０：低風圧絶縁電線
【図１】
2007220492.tif 000003
【図２】
2007220492.tif 000004
【図３】
2007220492.tif 000005
【図４】
2007220492.tif 000006
【図５】
2007220492.tif 000007